(57)【要約】【課題】鋼材の端部に溶接レスでエンドプレートを形成するエンドプレート付き溝型鋼の端部構造を提供する。【解決手段】押さえ部材６が、係合部材５と溝型鋼の内側に折り曲げられたウェブの長手方向端部折り曲げ部９に挟持され、押さえ部材６により、左右それぞれのフランジ４，４の長手方向端部折り返し部８，８の戻りが防止される。また、係合部材５と、押さえ部材６と、ウェブ２の長手方向端部折り曲げ部９のそれぞれに貫通する孔があけられており、この孔に締結部材１１を通して他の鋼材のウェブやフランジと接合することができ、さらに、締結部材による締め付けにより、係合部材５と押さえ部材６とウェブの長手方向端部折り曲げ部９が固定され、左右それぞれのフランジ４，４の長手方向端部折り返し部８，８と相まって溝型鋼端部にエンドプレートがしっかりと形成される。【選択図】    図１
2010180602.tif 000002
【特許請求の範囲】
【請求項１】
ウェブとウェブを挟む左右のフランジからなる溝型鋼の端部にエンドプレートを形成する溝型鋼の端部構造であって、
左右それぞれのフランジの長手方向端部が内側に折り返され、
両端部にそれぞれ係合部を有する係合部材が、両端部の係合部をフランジとフランジの長手方向端部折り返し部の隙間にそれぞれ挿入されて溝型鋼内部に収納され、
左右それぞれのフランジの長手方向端部折り返し部の変形を防止する押さえ部材が、係合部材と溝型鋼の内側に折り曲げられたウェブの長手方向端部折り曲げ部に挟持され、
該係合部材と、該押さえ部材と、該ウェブの長手方向端部折り曲げ部のそれぞれに貫通する孔があけられていることを特徴とするエンドプレート付き溝型鋼の端部構造。
【請求項２】
フランジの長手方向端部折り返し部が、溝型鋼の内側に折り曲げられたウェブの長手方向端部折り曲げ部に当接する当接面を有する請求項１に記載のエンドプレート付き溝型鋼の端部構造。
【請求項３】
前記孔に締結部材が挿通され、該締結部材で前記係合部材と前記押さえ部材と前記ウェブの長手方向端部折り曲げ部が締結されている請求項１乃至２に記載のエンドプレート付き溝型鋼の端部構造。
【発明の詳細な説明】
【技術分野】
【０００１】
本発明は、エンドプレート付き溝型鋼の端部構造に関する。詳しくは、溶接レスで溝型鋼の端部にエンドプレートを取り付ける端部構造に関する。
【背景技術】
【０００２】
鋼材どうしを接合する際、一方の鋼材の端部にエンドプレートを取り付け、エンドプレートを介してもう一方の鋼材のウェブやフランジとボルトで固定する。
【０００３】
鋼材の端部にエンドプレートを取り付ける場合、鋼材端部にあう断面のエンドプレートを用意し、鋼材とエンドプレートを溶接で固定されることが一般的に行われている。
【先行技術文献】
【特許文献】
【０００４】
【特許文献１】特開２００４−１５０１１６号公報
【発明の概要】
【発明が解決しようとする課題】
【０００５】
しかし、鋼材の端部にエンドプレートを溶接で取り付けると、溶接後に部材の防錆塗装を施す必要がある。また、溶接作業により品質に影響を与えるため、品質の安定が図れない。また、作業環境が苛酷であり、特殊技能を要するため、作業者の確保が困難といった問題がある。
【０００６】
本発明は、以上のような問題点に鑑み、鋼材の端部に溶接レスでエンドプレートを形成するエンドプレート付き溝型鋼の端部構造を提供することを課題とする。
【課題を解決するための手段】
【０００７】
上記の課題は、ウェブとウェブを挟む左右のフランジからなる溝型鋼の端部にエンドプレートを形成する溝型鋼の端部構造であって、
左右それぞれのフランジの長手方向端部が内側に折り返され、
両端部にそれぞれ係合部を有する係合部材が、両端部の係合部をフランジとフランジの長手方向端部折り返し部の隙間にそれぞれ挿入されて溝型鋼内部に収納され、
左右それぞれのフランジの長手方向端部折り返し部の変形を防止する押さえ部材が、係合部材と溝型鋼の内側に折り曲げられたウェブの長手方向端部折り曲げ部に挟持され、
該係合部材と、該押さえ部材と、該ウェブの長手方向端部折り曲げ部のそれぞれに貫通する孔があけられていることを特徴とするエンドプレート付き溝型鋼の端部構造により解決される。
【０００８】
このエンドプレート付き溝型鋼の端部構造では、押さえ部材が、係合部材と溝型鋼の内側に折り曲げられたウェブの長手方向端部折り曲げ部に挟持され、押さえ部材により、左右それぞれのフランジの長手方向端部折り返し部の変形が防止される。また、該係合部材と、該押さえ部材と、該ウェブの長手方向端部折り曲げ部のそれぞれに貫通する孔があけられており、この孔に締結部材を通して他の鋼材のウェブやフランジと接合することができ、さらに、締結部材による締め付けにより、係合部材と押さえ部材とウェブの長手方向端部折り曲げ部が固定され、左右それぞれのフランジの長手方向端部折り返し部と相まって溝型鋼端部にエンドプレートがしっかりと形成される。
【０００９】
本構造により、鋼材のエンドプレートを溶接レスで実現することができるため、溶接作業の課題である、・溶接後に部材の防錆塗装を施す必要がある。・溶接作業により品質に影響を与えるため、品質の安定性が図れない。・作業環境が苛酷であり、特殊技能を要するため、作業者の確保が困難である。といった課題を解決することができる。また、この解決を簡単な部材の組み合わせと、鋼材同士を接合するときのボルト接合を利用して実現するため、低コストで実現することができる。
【００１０】
上記のエンドプレート付き溝型鋼の端部構造において、フランジの長手方向端部折り返し部が、溝型鋼の内側に折り曲げられたウェブの長手報告端部折り曲げ部に当接する当接面を有するとよい。
【００１１】
フランジの長手方向端部折り返し部が当接面を有しているので、溝型鋼の内側に折り曲げられたウェブの長手方向折り曲げ部としっかりと密着するので、押さえ部材を安定的に狭持することができ、溝型鋼端部のエンドプレートを精度よくしっかりと構成することができる。
【００１２】
また、上記のエンドプレート付き溝型鋼の端部構造において、該係合部材と、該押さえ部材と、ウェブの長手方向端部折り曲げ部のそれぞれに貫通する孔に締結部材が挿通され、締結部材により係合部材と押さえ部材とフランジの長手方向端部の折り返し部が締結されているとよい。
【００１３】
締結部材により、係合部材と押さえ部材とウェブの長手方向端部折り曲げ部が締結され一体化され、左右それぞれのフランジの長手方向端部折り返し部と相まって、溝型鋼の端部にエンドプレートが溶接レスで形成される。
【発明の効果】
【００１４】
本発明は以上のとおりであるから、鋼材の端部に溶接レスでエンドプレートを形成するエンドプレート付き溝型鋼の端部構造を実現することができる。
【図面の簡単な説明】
【００１５】
【図１】図（イ）は本発明の実施形態であるエンドプレート付き溝型鋼の端部構造を示す正面図、図（ロ）は同側面図、図（ハ）は同底面図である。
【図２】図（イ）はエンドプレート付き溝型鋼の端部構造を示す斜視図、図（ロ）は各部材に分割して示す分解斜視図である。
【図３】図３は、エンドプレート付き溝型鋼を被締結部材に固定した状態を示す正面図である。
【図４】図（イ）〜（ハ）は、図５乃至図６とともに、エンドプレート付き溝型鋼の端部構造の形成方法を順次に示す斜視図である。
【図５】図（ニ）、図（ホ）は、図４、図６とともに、エンドプレート付き溝型鋼の端部構造の形成方法を順次に示す斜視図である。
【図６】図（ヘ）、図（ト）は、図４乃至図５とともに、エンドプレート付き溝型鋼の端部構造の形成方法を順次に示す斜視図である。
【図７】本発明の他の実施形態である、係合部材、押さえ部材、ウェブの長手方向端部が締結部材により一体化されているエンドプレート付き溝型鋼の端部構造を示す正面図である。
【図８】本発明のエンドプレート付き溝型鋼の端部構造が形成される部材を示す斜視図である。
【発明を実施するための形態】
【００１６】
次に、本発明の実施形態を図面に基づいて説明する。
【００１７】
図１〜図３に示す本発明の実施形態であるエンドプレート付き溝型鋼の端部構造１において、２は溝型鋼、５は係合部材、６は押さえ部材である。溝型鋼２は、ウェブ３とその両端部に連続する左右のフランジ４，４からなる断面視コの字型をしており、エンドプレートを取り付ける側の端部で、ウェブ３と左右のフランジ４，４はその境界部で分断され、左右のフランジ４，４はそれぞれ溝型鋼２の内部側に折り返されている。左右のフランジ４，４の折り返しは、溝型鋼２の内側に水平に張り出す当接面部７，７と当接面部の内方端部から溝型鋼２のエンドプレート取付側と反対方向に突出する折り返し部８，８とからなる。
【００１８】
溝型鋼２の内側へ折り返されたフランジの長手方向端部折り返し部８，８とフランジ４，４の隙間に断面視コの字型の係合部材５が挿入され、係合部材５とフランジの折り返し部８，８で３面を囲まれた空間に、溝型鋼２の内部に収納される直方体の押さえ部材６が配置され、係合部材５とフランジ４，４の長手方向端部折り返し部８，８とウェブ３の溝型鋼の内側に折り曲げられたウェブの長手方向端部折り曲げ部９で狭持されている。折り曲げられたウェブの長手方向端部折り曲げ部９は、左右のフランジ４，４を折り返した溝型鋼２の内側に水平に張り出す当接面部７，７と当接し、溝型鋼端部側に折り曲げられたウェブとしっかりと密着するので、押さえ部材を安定的に狭持することができる。係合部材５は、中央部５１とその両端部から一方の側に突出する係合部５２からなる。押さえ部材６の幅寸法は、溝型鋼の内側に折り返されたフランジの長手方向端部折り返し部８，８間の寸法と略等しく設定されており、押さえ部材６により、フランジ４，４の長手方向端部折り返し部８，８が変形することを防ぐ。また、折り曲げられたウェブの長手方向端部折り曲げ部９により押さえ部材６の脱落を防止する。そして、係合部材５、押さえ部材６、ウェブの長手方向端部折り曲げ部９により溝型鋼端部のエンドプレートが形成される。
【００１９】
係合部材５、押さえ部材６、ウェブの長手方向端部折り曲げ部９には、ボルト１１を挿通するための孔５ａ，６ａ，９ａがそれぞれあけられている。
【００２０】
エンドプレート付き溝型鋼の端部構造１は次のようにして形成される。
【００２１】
図４（イ）〜（ハ）に示すように、ウェブ２とウェブ２を挟む左右のフランジ４，４とからなる溝型鋼２のエンドプレート形成側端部のウェブ２とフランジ４，４の境界部を分断する。また、フランジ４，４の端部側を一部切断する。ウェブ２とフランジ４，４の境界面の分断寸法およびフランジ４，４の端部側の一部切断寸法は、溝側鋼２の形状及び、フランジ４，４の折り返し寸法、押さえ部材の厚み等により決定される。
【００２２】
図５（ニ）に示すように、フランジ４，４は、溝型鋼２の内側に水平に張り出す当接面部７，７と当接面部の内方端部から溝型鋼２のエンドプレート取付側と反対方向に突出するフランジの長手方向端部折り返し部８，８を形成するように、２段階に折り返される。また、ウェブ２の長手方向端部折り曲げ部９には、孔９ａが開けられる。なお、孔９ａを開ける工程は、図４（イ）〜（ロ）など、フランジ４，４を折り曲げる前の工程で行われてもよい。
【００２３】
溝型鋼２の内側へ折り返されたフランジの長手方向端部折り返し部８，８とフランジ４，４の隙間に、図５（ホ）に示すように、中央部５１とその両端部から一方の側に突出する係合部５２を有する断面視コの字型であって、中央部に断面視コの字型の係合部材５が挿入される。そして、図６（ヘ）に示すように、押さえ部材６を係合部材５とフランジの折り返し部８，８で３面を囲まれた空間に直方体の押さえ部材６が配置され、係合部材５とフランジ４，４の長手方向端部折り返し部８，８とウェブ３の溝型鋼の内側に折り曲げられたウェブ３の長手方向端部折り曲げ部９で狭持される。
【００２４】
なお、この状態では、係合部材５は、フランジ４，４とフランジの長手方向端部折り返し部８，８との隙間に挿入されているだけであり、固定されておらず、係合部材５、押さえ部材６ともに、取り外すことができる。
【００２５】
溝型鋼のエンドプレート構造としては次のように実施する。
【００２６】
図３に示すように、溝型鋼２と被締結部材１０を締結する場合、上記に示したエンドプレート付き溝型鋼の端部構造により、ボルト１１により締結することで溝型鋼２と被締結部材１０は締結することができる。溝型鋼２と被締結部材１０を締結するボルト１１により、溝型鋼２端部の係合部材５、押さえ部材６、ウェブ３の長手方向端部折り曲げ部９は一体化される。つまり、溝型鋼２と被締結部材１０がボルト１１により接合されると同時に、溝型鋼２端部の係合部材５、押さえ部材６、ウェブ３の長手方向端部折り曲げ部９も一体化され、溝型鋼２の端部にエンドプレートが形成される。つまり、溝型鋼の端部にエンドプレートを一時的に未固定の状態で形成し、該溝型鋼を被締結部材と固定することで、溝型鋼が被締結部材と固定されると同時に、溝型鋼端部のエンドプレートも溝型鋼と一体化される。なお、１２、１３はそれぞれナットとワッシャである。
【００２７】
このエンドプレート付き溝型鋼の端部構造では、押さえ部材が、係合部材と溝型鋼の内側に折り曲げられたウェブの長手方向端部折り曲げ部に挟持されているため、押さえ部材により、左右それぞれのフランジの折り返しの戻りが防止される。また、係合部材と、押さえ部材と、ウェブの長手方向端部折り曲げ部のそれぞれに貫通する孔があけられているので、この孔に締結部材を通して他の鋼材のウェブやフランジと接合することができ、さらに、締結部材の締め付けにより、押さえ部材と係合部材とが固定され、左右それぞれのフランジの折り返しと相まって鋼材端部のエンドプレートはしっかりと固定される。
【００２８】
本構造により、鋼材のエンドプレートを溶接レスで実現することができるため、溶接作業の課題である、・溶接後に部材の防錆塗装を施す必要がある。・溶接作業により品質に影響を与えるため、品質の安定性が図れない。・作業環境が苛酷であり、特殊技能を要するため、作業者の確保が困難である。といった課題を解決することができる。また、この解決を簡単な部材の組み合わせと、鋼材同士を接合するときのボルト接合を利用して実現するため、低コストで実現することができる。
【００２９】
図７に示す本発明の第２の実施形態であるエンドプレート付き溝型鋼の端部構造は、上記に示したエンドプレート付き溝型鋼の端部構造において、被締結部材へ接合する前に、溝型鋼２端部の係合部材５、押さえ部材６、ウェブ３の長手方向端部折り曲げ部９を締結部材であるボルト１１とナット１２により締結したものである。締結部材で一体化しておくことにより、被締結部材と溝型鋼を一体化することなく、溝型鋼２の端部にエンドプレートを形成することができる。
【００３０】
以上に、本発明の実施形態を示したが、本発明はこれに限られるものではなく、発明思想を逸脱しない範囲で各種の変更が可能である。例えば、上記の実施形態では、係合部材５を溝型鋼２の内側へ折り返されたフランジの長手方向端部折り返し部８，８とフランジ４，４の隙間に挿入し、係合部材５が固定されていない場合について示したが、係合部材５をフランジの長手方向端部折り返し部８，８とフランジ４，４の隙間に挿入した後、折り曲げ部８，８を変形させる等して、係合部材５と一体化させてもよい。
【００３１】
また、係合部材５や押さえ部材６の取り付けは溝型鋼２を加工する工場で行われてもよいし、溝型鋼と被締結部材を締結する施工現場で行われてもよいのはいうまでもない。
【００３２】
また、エンドプレートを形成する対象となる溝型鋼は、長尺方向全体を通して溝型である必要はなく、例えば、図８に示すようにウェブと、ウェブを挟む左右のフランジと、フランジの外方端部から突出するリブからなるＣ型鋼であって、エンドプレートが形成される端部側において、リブが取り除かれて溝型になっている鋼材であってもよい。
【００３３】
また、係合部材、押さえ部材の形状についても特に限定はなく、組み立て性、生産性等を考慮して適宜変更されてよい。
【符号の説明】
【００３４】
１・・・エンドプレート付き溝型鋼の端部構造
２・・・溝型鋼
３・・・ウェブ
４・・・フランジ
５・・・係合部材
６・・・押さえ部材
７・・・当接面部
８・・・折り返し部
９・・・ウェブの長手方向端部の折り返し部
１０・・・被締結部材
【図１】
2010180602.tif 000003
【図２】
2010180602.tif 000004
【図３】
2010180602.tif 000005
【図４】
2010180602.tif 000006
【図５】
2010180602.tif 000007
【図６】
2010180602.tif 000008
【図７】
2010180602.tif 000009
【図８】
2010180602.tif 000010